(57)【特許請求の範囲】
【請求項１】
第１ハウジングと第２ハウジングとを低挿脱力で着脱するためのコネクタ嵌合治具であって、
本体一端部に設けた本体係合部が前記第１ハウジングに形成された第１係合部に係合する筒状の治具本体と、
内筒一端部に設けた内筒係合部が前記本体一端部の開口から突出するように前記治具本体内に嵌装されて軸方向にのみ相対移動可能に保持され、前記内筒係合部が前記第２ハウジングに形成された第２係合部に係合する内筒部材と、
前記内筒部材の内筒内周面に形成されたねじ部に螺合し、前記治具本体の本体他端部に対して回転自在かつ軸方向に相対移動不能に保持されたねじ軸と、を備え、
前記ねじ軸を前記治具本体に対して回転し、前記内筒部材を前記治具本体に対して軸方向に相対移動させることにより、前記第１ハウジングと前記第２ハウジングをコネクタ嵌合方向に沿って相対移動させることを特徴とするコネクタ嵌合治具。
【請求項２】
円筒状に形成された前記治具本体の本体内周面と前記内筒部材の内筒外周面との間には、軸方向に沿って延設されたリブと該リブが嵌合するリブ溝とで構成された回転防止機構が設けられることを特徴とする請求項１に記載のコネクタ嵌合治具。
【請求項３】
内筒部材が治具本体に対して軸方向に相対移動するコネクタ嵌合治具により第１ハウジングと第２ハウジングとが低挿脱力で着脱される低挿入力コネクタであって、
前記第１ハウジングの嵌合面側に突設され、前記第２ハウジングのコネクタ嵌合方向に貫設された軸孔を貫通する貫通軸と、
前記貫通軸の貫通先端部に設けられて前記治具本体に係合する第１係合部と、
前記軸孔が開口された前記第２ハウジングの外表面に設けられ、前記第１係合部よりも前記貫通軸の中心線寄りに位置して前記内筒部材に係合する第２係合部と、を備え、
前記コネクタ嵌合治具によって前記第１係合部と前記第２係合部をコネクタ嵌合方向に沿って相対移動させることにより、前記第１ハウジングと前記第２ハウジングがコネクタ嵌合方向に沿って相対移動することを特徴とする低挿入力コネクタ。
【請求項４】
前記第１係合部が、前記第２係合部を内方に係合する第１係合空間を区画形成する第１係合縁部を有し、
前記第２係合部が、前記第２ハウジングの外表面との間に第２係合空間を区画形成する第２係合縁部を有することを特徴とする請求項３に記載の低挿入力コネクタ。
【発明の詳細な説明】
【技術分野】
【０００１】
本発明は、低挿入力でコネクタの嵌合を可能とするコネクタ嵌合治具および低挿入力コネクタに関する。
【背景技術】
【０００２】
低挿入力でコネクタ嵌合を可能とする低挿入力コネクタとしては、例えば特許文献１に記載の低挿入力コネクタが知られている。図１０に示すように、この低挿入力コネクタ５０１は、雄コネクタ５０３と、雌コネクタ５０５と、回動軸５０７とからなる。雄コネクタ５０３は、ハウジングに貫設した軸孔５０９の出口からコネクタ嵌合方向に向けて突設された左右一対の可撓アーム５１３と、可撓アーム５１３に対して直交方向に設けられた前後一対の抜け防止突起５１５とを備える。可撓アーム５１３の中間部には、軸孔５０９の内径よりも幅狭な対向幅を有する括れ部５３３を形成し、アーム先端には、それぞれ内向きの係止爪部５１１を設けている。雌コネクタ５０５には、可撓アーム５１３の係止爪部５１１に対する仮係合孔５１７と、本係合孔５１９とがコネクタ嵌合方向に順次設けられるとともに、軸孔５０９の延長上にピン状螺合突起５２１が設けられている。回動軸５０７は、ピン状螺合突起５２１に対する螺旋ねじ部５２３が細径部５２５の先端に設けられている。更に、回動軸５０７は、環状部５２７と、環状溝５２９とが細径部５２５に連成されている。環状部５２７は、抜け防止突起５１５に対する挿通溝５３１を有する。環状溝５２９は、挿通溝５３１に連通し、抜け防止突起５１５と括れ部５３３とを順次係合可能とする。
【０００３】
上記低挿入力コネクタ５０１は、雄コネクタ５０３と雌コネクタ５０５とを仮係合させた状態で、回動軸５０７の軸先端を雄コネクタ５０３の軸孔５０９に挿通させ、抜け防止突起５１５を挿通溝５３１に挿通させる。そして、可撓アーム５１３の括れ部５３３を環状溝５２９に係合させる。可撓アーム５１３の係止爪部５１１は、雌コネクタ５０５の仮係合孔５１７に係合してコネクタ相互の位置合わせを行わせる。
【０００４】
次いで、回動軸５０７の軸先端を押し込むことで、可撓アーム５１３の括れ部５３３を外側に押し拡げて係止爪部５１１の仮係合を解除する。雄コネクタ５０３の抜け防止突起５１５は、回動軸５０７の環状溝５２９に係合して細径部５２５を軸方向に固定させる。雌コネクタ５０５のピン状螺合突起５２１は、回動軸５０７の細径部５２５に位置する。
【０００５】
更に、ハンドル５３５で回動軸５０７を半回転させ、ピン状螺合突起５２１を螺旋ねじ部５２３に沿って引き上げる。ピン状螺合突起５２１は、半回転した螺旋ねじ部５２３の挿通切欠部に位置する。雄コネクタ５０３の抜け防止突起５１５は、環状部５２７の挿通溝５３１に位置させられ、雄コネクタ５０３の可撓アーム５１３は、拡開した状態で係止爪部５１１が雌コネクタ５０５の本係合孔５１９に対向して位置させられる。
【０００６】
最後に、雄コネクタ５０３及び雌コネクタ５０５から回動軸５０７の細径部５２５を引き抜く。これにより、係止爪部５１１が雌コネクタ５０５の本係合孔５１９に係合し、雄コネクタ５０３と雌コネクタ５０５がロックされる。
【先行技術文献】
【特許文献】
【０００７】
【特許文献１】特許第２６１３９９８号公報
【発明の概要】
【発明が解決しようとする課題】
【０００８】
しかしながら、上記の低挿入力コネクタ５０１は、雄コネクタ５０３に可撓アーム５１３、係止爪部５１１、抜け防止突起５１５及び括れ部５３３を、雌コネクタ５０５に仮係合孔５１７、本係合孔５１９及びピン状螺合突起５２１を形成しなければならない。このため、一体成形し難い特殊形状部が多く、ハウジング構造が複雑となり、大型化の要因ともなった。また、限られたスペースにおいては、ピン状螺合突起５２１に係合する螺旋ねじ部５２３のリード角を小さくできないため、操作力を十分に軽くすることができなかった。
【０００９】
本発明は上記状況に鑑みてなされたもので、その目的は、複雑なハウジング構造を設けることなく、軽い操作力でコネクタ嵌合できるコネクタ嵌合治具および低挿入力コネクタを提供することにある。
【課題を解決するための手段】
【００１０】
前述した目的を達成するために、本発明に係るコネクタ嵌合治具及び低挿入力コネクタは、下記（１）〜（５）を特徴としている。
（１）  第１ハウジングと第２ハウジングとを低挿脱力で着脱するためのコネクタ嵌合治具であって、本体一端部に設けた本体係合部が前記第１ハウジングに形成された第１係合部に係合する筒状の治具本体と、内筒一端部に設けた内筒係合部が前記本体一端部の開口から突出するように前記治具本体内に嵌装されて軸方向にのみ相対移動可能に保持され、前記内筒係合部が前記第２ハウジングに形成された第２係合部に係合する内筒部材と、前記内筒部材の内筒内周面に形成されたねじ部に螺合し、前記治具本体の本体他端部に対して回転自在かつ軸方向に相対移動不能に保持されたねじ軸と、を備え、前記ねじ軸を前記治具本体に対して回転し、前記内筒部材を前記治具本体に対して軸方向に相対移動させることにより、前記第１ハウジングと前記第２ハウジングをコネクタ嵌合方向に沿って相対移動させることを特徴とするコネクタ嵌合治具。
（２）  上記（１）の構成のコネクタ嵌合治具において、円筒状に形成された前記治具本体の本体内周面と前記内筒部材の内筒外周面との間には、軸方向に沿って延設されたリブと該リブが嵌合するリブ溝とで構成された回転防止機構が設けられること。
（３）  上記（２）の構成のコネクタ嵌合治具において、前記本体係合部が本体外周面から突出する円環状の本体フランジにより形成され、前記内筒係合部が内筒外周面から突出する円環状の内筒フランジにより形成されること。
（４）  内筒部材が治具本体に対して軸方向に相対移動するコネクタ嵌合治具により第１ハウジングと第２ハウジングとが低挿脱力で着脱される低挿入力コネクタであって、前記第１ハウジングの嵌合面側に突設され、前記第２ハウジングのコネクタ嵌合方向に貫設された軸孔を貫通する貫通軸と、前記貫通軸の貫通先端部に設けられて前記治具本体に係合する第１係合部と、前記軸孔が開口された前記第２ハウジングの外表面に設けられ、前記第１係合部よりも前記貫通軸の中心線寄りに位置して前記内筒部材に係合する第２係合部と、を備え、前記コネクタ嵌合治具によって前記第１係合部と前記第２係合部をコネクタ嵌合方向に沿って相対移動させることにより、前記第１ハウジングと前記第２ハウジングがコネクタ嵌合方向に沿って相対移動することを特徴とする低挿入力コネクタ。
（５）  上記（４）の構成の低挿入力コネクタにおいて、前記第１係合部が、前記第２係合部を内方に係合する第１係合空間を区画形成する第１係合縁部を有し、前記第２係合部が、前記第２ハウジングの外表面との間に第２係合空間を区画形成する第２係合縁部を有すること。
【００１１】
上記（１）の構成のコネクタ嵌合治具によれば、治具本体に対してねじ軸を回転操作することで、内筒部材が治具本体に対して軸方向にねじ送りされる。これにより、治具本体の本体係合部が第１係合部に係合した第１ハウジングと、内筒部材の内筒係合部が第２係合部に係合した第２ハウジングとをコネクタ嵌合方向に沿って相対移動させることができる。そこで、ねじ軸の軽い回転力で第１ハウジングと第２ハウジングを嵌合または離脱することができる。
また、第１ハウジングの第１係合部と第２ハウジングの第２係合部は、それぞれ治具本体の本体係合部および内筒部材の内筒係合部に対して嵌合方向に沿って係止される簡単な形状であればよいので、第１ハウジングおよび第２ハウジングに対して複雑なハウジング構造を必要としない。
上記（２）の構成のコネクタ嵌合治具によれば、治具本体を成形の容易な円筒状としながら、治具本体内に嵌装される内筒部材を軸方向にのみ相対移動可能に保持できる。
上記（３）の構成のコネクタ嵌合治具によれば、本体係合部および内筒係合部を円環状の本体フランジおよび内筒フランジにより形成することで、それぞれ第１ハウジングの第１係合部および第２ハウジングの第２係合部に係合させる際の方向性が無くなり、コネクタの嵌合作業性が向上する。
上記（４）の構成の低挿入力コネクタによれば、例えば、上記（１）の構成のコネクタ嵌合治具を用いて、第１係合部と第２係合部をコネクタ嵌合方向に沿って相対移動させることにより、第１ハウジングと第２ハウジングを容易に嵌合または離脱できる。
また、従来の低挿入力コネクタのような複雑なハウジング構造を形成する必要がない。
上記（５）の構成の低挿入力コネクタによれば、第１係合縁部または第２係合縁部に対応する第１係合部および第２係合部を係合させることができる例えば上記（１）の構成のコネクタ嵌合治具を用いることによって、第２係合縁部を下部押下座として第１係合部を引き上げたり、第１係合縁部を上部押下座として第２係合部を引き上げたりして、第１ハウジングと第２ハウジングをコネクタ嵌合方向に沿って容易に相対移動させることができる。
【発明の効果】
【００１２】
本発明に係るコネクタ嵌合治具および低挿入力コネクタによれば、複雑なハウジング構造を設けることなく、軽い操作力でコネクタを容易に嵌合または離脱できる。
【００１３】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１４】
【図１】本発明の第１実施形態に係るコネクタ嵌合治具の側面図である。
【図２】図１に示したコネクタ嵌合治具の内筒部材およびねじ軸の斜視図である。
【図３】図１に示した治具本体、内筒部材及びねじ軸の概略分解斜視図である。
【図４】本発明の一実施形態に係る低挿入力コネクタの分解斜視図である。
【図５】（ａ）は嵌合前の低挿入力コネクタの一部分を切り欠いた側面図、（ｂ）は嵌合後の低挿入力コネクタの一部分を切り欠いた側面図である。
【図６】コネクタ嵌合時の本体フランジと内筒フランジとの配置を表した要部拡大縦断面図である。
【図７】コネクタ離脱時の本体フランジと内筒フランジとの配置を表した全体斜視図である。
【図８】図１に示した軸方向移動規制部材の変形例を表す一部破断拡大側面図である。
【図９】本発明の第２実施形態に係るコネクタ嵌合治具の斜視図である。
【図１０】従来の低挿入力コネクタの分解縦断面図である。
【発明を実施するための形態】
【００１５】
以下、図面を参照して本発明の一実施形態を詳細に説明する。
図１〜図３に示すように、本発明の第１実施形態に係るコネクタ嵌合治具１１は、治具本体１３と、内筒部材１５と、ねじ軸１７と、に大別して構成されている。
【００１６】
治具本体１３は、略円筒状に形成され、下方の本体一端部２１に本体係合部２３が設けられ、上方の本体他端部４１に軸方向移動規制部材１９が設けられる。
内筒部材１５は、下方の内筒一端部２５に設けた内筒係合部２７が治具本体１３の本体一端部２１の開口から突出するように治具本体１３内に嵌装されて軸方向にのみ相対移動可能に保持されている。内筒係合部２７は、後述する雌コネクタハウジング６３に形成された第２係合部８７に係合する。
【００１７】
治具本体１３の本体内周面１０９と内筒部材１５の内筒外周面１１１との間には、軸方向に沿って延設されたリブ１１３と、リブ１１３が嵌合するリブ溝１１５とで構成された回転防止機構１１７が設けられる。コネクタ嵌合治具１１は、リブ１１３とリブ溝１１５により、治具本体１３を成形の容易な円筒状としながら、治具本体内に嵌装される内筒部材１５を軸方向にのみ相対移動可能に保持している。
【００１８】
更に、本体係合部２３は、本体外周面１１９から突出する円環状の本体フランジ１２１により形成される。また、内筒係合部２７は、内筒外周面１１１から突出する円環状の内筒フランジ１２３により形成される。本体係合部２３および内筒係合部２７を円環状の本体フランジ１２１及び内筒フランジ１２３により形成することで、それぞれ後述する雄コネクタハウジング５９の第１係合部７９および雌コネクタハウジング６３の第２係合部８７に係合させる際の方向性が無くなる。これにより、コネクタの嵌合作業性が向上する。
【００１９】
ねじ軸１７は、六角形の頭部２９を有し、首部３１に半径方向外側へ張り出した鍔部３３を備える。鍔部３３は、別部材を固定して設けてもよく、鍛造部材で形成した大径部分を切削加工して形成してもよい。このねじ軸１７は、頭部２９がスパナ等の工具によって回転操作される。首部３１の下方は、全て雄ねじ部３９となる。
そして、ねじ軸１７は、内筒部材１５の内筒内周面１０３に形成されたねじ部１０５に螺合する。また、ねじ軸１７は、軸方向移動規制部材１９によって治具本体１３の本体他端部４１に対して回転自在かつ軸方向に相対移動不能に保持される。
【００２０】
軸方向移動規制部材１９は、治具本体１３の本体他端部４１に固定されるブロック本体４３を有する。ブロック本体４３は、本体他端部４１の半径方向内側に突合せて固定された一対のＬ字型のブロック体４５から成る。そこで、ブロック本体４３の中央部にブロック凹部４７が形成され、ブロック凹部４７の対向壁には鍔部３３の外周部を表裏側から挟む規制溝４９が形成されている。また、ブロック本体４３の上面からは、ねじ軸１７の頭部２９を回転可能に突出させる。
【００２１】
本体他端部４１に固定された軸方向移動規制部材１９は、鍔部３３を回転可能に挟むことで、治具本体１３とねじ軸１７との軸方向の移動を規制する。そこで、軸方向移動規制部材１９は、ねじ軸１７を治具本体１３の本体他端部４１に対して回転自在かつ軸方向に相対移動不能に保持することができる。
【００２２】
上記構成を有することで、コネクタ嵌合治具１１は、ねじ軸１７を治具本体１３に対して回転し、内筒部材１５を治具本体１３に対して軸方向に相対移動させることにより、雄コネクタハウジング５９と雌コネクタハウジング６３をコネクタ嵌合方向に沿って相対移動させることができる。
【００２３】
図４に示すように、本実施形態に係る低挿入力コネクタ５５は、第１ハウジングとしての雄コネクタハウジング５９と、第２ハウジングとしての雌コネクタハウジング６３と、からなる。
雄コネクタハウジング５９は、上面が嵌合開口部６５となって開口する四角形のフード部６７を有し、フード部６７の内方にはフード部６７と略相似形の雄コネクタ部６９が突設されている。雄コネクタ部６９の内部には図示しない複数の接続端子が収容されている。
【００２４】
雌コネクタハウジング６３は、下方のハウジング周壁７３から雄コネクタハウジング５９のフード部６７に挿入されて嵌合される。ハウジング周壁７３の下面側には雄コネクタ部６９を受け入れる雌コネクタ部７５（図５参照）が形成される。雌コネクタ部７５の内部には図示しない複数の接続端子が収容されている。雄コネクタハウジング５９と雌コネクタハウジング６３とは、雄コネクタハウジング５９のフード部６７に雌コネクタハウジング６３のハウジング周壁７３が進入すると、雄コネクタ部６９が雌コネクタ部７５に嵌合し、接続端子同士が接続される。
【００２５】
本実施形態に係る雄コネクタハウジング５９には、嵌合面側となる雄コネクタ部６９の略中央に、嵌合方向（図２の上方向）に向かって貫通軸８３が突設される。本実施形態の貫通軸８３は、断面略Ｕ字形状に形成されるがこれに限定されるものではない。この貫通軸８３は、雄コネクタハウジング５９と雌コネクタハウジング６３との嵌合時、雌コネクタハウジング６３のコネクタ嵌合方向に貫設された軸孔８１を貫通する。貫通軸８３の貫通先端部８５には、コネクタ嵌合治具１１の本体係合部２３と係合する第１係合部７９が設けられる。
【００２６】
断面略Ｕ字形状の軸孔８１が開口された雌コネクタハウジング６３の外表面８９には、第１係合部７９よりも貫通軸８３の中心線Ｘ寄りに位置する第２係合部８７が軸孔８１に近接して設けられている。
【００２７】
第１係合部７９は、第２係合部８７を内方に係合する第１係合空間９１を区画形成する第１係合縁部９３を有する。一方、第２係合部８７は、雌コネクタハウジング６３の外表面８９との間に第２係合空間９５を区画形成する第２係合縁部９７を有する。
第１係合縁部９３は、治具本体１３の本体係合部２３に対応して係合し、第２係合縁部９７は、内筒部材１５の内筒係合部２７に対応して係合する。
【００２８】
上述した低挿入力コネクタ５５は、コネクタ嵌合治具１１を用いることによって、第２係合縁部９７を下部押下座９９として第１係合部７９を引き上げたり、第１係合縁部９３を上部押下座１０１として第２係合部８７を引き上げたりできる。これにより、雄コネクタハウジング５９と雌コネクタハウジング６３は、コネクタ嵌合方向に沿って容易に相対移動される。
【００２９】
次に、上記構成を有するコネクタ嵌合治具１１および低挿入力コネクタ５５の作用を説明する。
低挿入力コネクタ５５をコネクタ嵌合治具１１によって嵌合するには、先ず、図５（ａ）に示すように、雄コネクタハウジング５９に突設された貫通軸８３を雌コネクタハウジング６３の軸孔８１に貫通させる。
【００３０】
次いで、軸孔８１から貫通先端部８５の第１係合部７９を突出させた状態で、第１係合空間９１に、本体フランジ１２１を挿入する。また、第２係合縁部９７の下部押下座９９に内筒部材１５の内筒フランジ１２３を上方から当接させる。
図５（ｂ）に示すように、ねじ軸１７を反時計回りに回転操作すると、内筒部材１５が治具本体１３の下方へ突出し、内筒フランジ１２３が下部押下座９９を押圧する。これにより、図６に示すように、本体フランジ１２１が第１係合縁部９３を介して第１係合部７９を引き上げ、第１係合部７９を設けられた貫通軸８３が引き上げられることで、雄コネクタハウジング５９と雌コネクタハウジング６３とが嵌合される。
【００３１】
また、嵌合した雄コネクタハウジング５９と雌コネクタハウジング６３とを離脱するには、図７に示すように、軸孔８１から突出した貫通先端部８５の第１係合部７９における第１係合縁部９３を、上部押下座１０１として利用する。この上部押下座１０１には上方より本体フランジ１２１が当接される。一方、内筒部材１５の内筒フランジ１２３は、雌コネクタハウジング６３の第２係合部８７における第２係合空間９５に挿入する。
【００３２】
即ち、第１係合部７９と第２係合部８７とは、第１係合縁部９３と第２係合縁部９７とが上下から本体フランジ１２１と内筒フランジ１２３とによって挟まれた状態となる。この状態で、ねじ軸１７が時計回りに回転操作されると、内筒部材１５が治具本体１３に引き込まれる。これにより、貫通軸８３が押し下げられ、雄コネクタハウジング５９と雌コネクタハウジング６３とが離脱される。
【００３３】
このように、本実施形態のコネクタ嵌合治具１１では、治具本体１３に対してねじ軸１７を回転操作することで、内筒部材１５が治具本体１３に対して軸方向にねじ送りされる。そして、雄コネクタハウジング５９の第１係合部７９と雌コネクタハウジング６３の第２係合部８７とをコネクタ嵌合方向に沿って相対移動させることにより、軽い回転力で雄コネクタハウジング５９と雌コネクタハウジング６３を嵌合または離脱させることができる。
【００３４】
また、本実施形態の低挿入力コネクタ５５では、雄コネクタハウジング５９の第１係合部７９と雌コネクタハウジング６３の第２係合部８７は、それぞれ治具本体１３の本体係合部２３および内筒部材１５の内筒係合部２７に対して嵌合方向に沿って係止される簡単な形状である。このため、低挿入力コネクタ５５は、図１０に示した従来の低挿入力コネクタ５０１のような複雑なハウジング構造を形成する必要がない。
【００３５】
図８は上述した軸方向移動規制部材１９の変形例を表す一部破断拡大側面図である。
図８に示すように、軸方向移動規制部材１５０は、ブロック凹部１４７の対向壁に鍔部１５１を設け、この鍔部１５１をねじ軸１７Ａの首部３１Ａに形成した首部係合溝１５３に係合する構造としてもよい。この変形例によれば、ねじ軸１７Ａに鍔部３３を設ける必要がなく、市販品を加工することによってねじ軸１７Ａを容易に形成できる。
【００３６】
次に、本発明の第２実施形態に係るコネクタ嵌合治具１２５を説明する。尚、上記第１実施形態のコネクタ嵌合治具１１と略同様の構成部材については、同符号を付して詳細な説明を省略する。
図９に示すように、本第２実施形態に係るコネクタ嵌合治具１２５は、治具本体１３とトルクレンチ等の回転駆動部１２７とが、一体に構成されている。
【００３７】
治具本体１３の本体他端部４１には、Ｕ字状ブラケット１２９が固定され、Ｕ字状ブラケット１２９の両先端部１３１は、回転駆動部１２７のヘッドカバー１３３に固定されている。
回転駆動部１２７は、ヘッドカバー１３３の中心に回転駆動軸１３５が突出しており、回転駆動軸１３５はねじ軸１７の頭部２９に相対回転不能に連結されている。この回転駆動部１２７は、回転駆動軸１３５が不図示の電動モータまたはエアアクチュエータ等によって正逆方向に回転可能となっている。
【００３８】
このコネクタ嵌合治具１２５によれば、回転駆動部１２７の回転駆動軸１３５を回転駆動することで、ねじ軸１７が回転され、本体フランジ１２１と内筒フランジ１２３とが接近または離反する方向に移動される。これにより、上記第１実施形態のコネクタ嵌合治具１１と同様に、本体フランジ１２１と内筒フランジ１２３とを、図６に示したように第１係合縁部９３と第２係合縁部９７との間に挿入すれば、雄コネクタハウジング５９と雌コネクタハウジング６３とのコネクタ嵌合が手動によらず、より容易となる。
【００３９】
また、図７に示したように本体フランジ１２１と内筒フランジ１２３とで、第１係合縁部９３と第２係合縁部９７を上下から挟めば、雄コネクタハウジング５９と雌コネクタハウジング６３との離脱が手動によらず、より容易となる。
【００４０】
上述したように、上記実施形態に係るコネクタ嵌合治具１１，１２５及び低挿入力コネクタ５５によれば、雄コネクタハウジング５９や雌コネクタハウジング６３に複雑なハウジング構造を設けることなく、軽い操作力で雄コネクタハウジング５９と雌コネクタハウジング６３とを嵌合または離脱できる。
【００４１】
尚、本発明のコネクタ嵌合治具及び低挿入力コネクタに係る治具本体、本体係合部、内筒部材、内筒係合部、ねじ軸、第１及び第２ハウジング、貫通軸、軸孔、第１及び第２係合部、第１及び第２係合縁部、第１及び第２係合空間等の構成部材は、上記実施形態の構成に限定されるものではなく、本発明の趣旨に基づいて種々の形態を採りうる。
【００４２】
例えば、上記実施形態においては、雄コネクタハウジング５９を第１ハウジングとし、雌コネクタハウジング６３を第２ハウジングとして説明したが、雌コネクタハウジングを第１ハウジングとし、雄コネクタハウジングを第２ハウジングとすることもできる。
【符号の説明】
【００４３】
１１  コネクタ嵌合治具
１３  治具本体
１５  内筒部材
１７  ねじ軸
２１  本体一端部
２３  本体係合部
２５  内筒一端部
２７  内筒係合部
４１  本体他端部
５５  低挿入力コネクタ
５９  雄コネクタハウジング（第１ハウジング）
６３  雌コネクタハウジング（第２ハウジング）
７９  第１係合部
８１  軸孔
８３  貫通軸
８５  貫通先端部
８７  第２係合部
８９  外表面
９１  第１係合空間
９３  第１係合縁部
９５  第２係合空間
９７  第２係合縁部
１０３  内筒内周面
１０５  ねじ部
１０９  本体内周面
１１１  内筒外周面
１１３  リブ
１１５  リブ溝
１１７  回転防止機構
１１９  本体外周面
１２１  本体フランジ
１２３  内筒フランジ
【図１】
0005711569.tif 000002
【図２】
0005711569.tif 000003
【図３】
0005711569.tif 000004
【図４】
0005711569.tif 000005
【図５】
0005711569.tif 000006
【図６】
0005711569.tif 000007
【図７】
0005711569.tif 000008
【図８】
0005711569.tif 000009
【図９】
0005711569.tif 000010
【図１０】
0005711569.tif 000011